(57)【要約】【課題】高さ調節機構により骨組体の設置高さを調節することができ、例えば、生育初期においては、設置高さを低く調節し、成長に応じ、高さ調節機構により骨組体の設置高さを高く調節することができ、従って、栽培作物の種類や生育状況、栽培時季、農地形状などの用途や使用目的に対する融通性を高めることができる。【解決手段】骨組体Ｋ及び骨組体に張装される被覆シート４からなり、骨組体の設置高さを調節可能な高さ調節機構６を設けてなる。【選択図】図１
0003140489.tif 000002
【実用新案登録請求の範囲】
【請求項１】
骨組体及び骨組体に張装される被覆シートからなり、上記骨組体の設置高さを調節可能な高さ調節機構を設けてなることを特徴とする農業用ハウス。
【請求項２】
上記骨組体は、並列状に設置されるアーチ状の複数個の支柱枠杆及び該複数個の支柱枠杆間に横架される横架杆を備えてなることを特徴とする請求項１記載の農業用ハウス。
【請求項３】
上記高さ調節機構は、地上に差込立設される支持杆と、該支持杆に上記支柱枠杆を高さ調節自在に連結固定可能な固定機構とからなることを特徴とする請求項１又は２記載の農業用ハウス。
【請求項４】
上記支持杆の下部に接地盤を形成してなることを特徴とする請求項３記載の農業用ハウス。
【請求項５】
上記接地盤に土中に差込可能な差込杆が挿通される係合穴を形成してなることを特徴とする請求項４記載の農業用ハウス。
【請求項６】
上記固定機構は、上記支持杆に取付体を固定し、該取付体に上片、下片及び側片からなるコ状のガイド枠を設け、該ガイド枠の上片及び下片に上記支柱枠杆が挿通可能な挿通穴を形成し、該ガイド枠に係合部を設け、該上片と下片との間に該支柱枠体が挿通可能な係止穴をもつ係止片を設け、該係止片と該下片との間に該係止片の基端部を該係合部に当接させると共に該係止片を傾斜状に弾圧して該係止片の係止穴の内面と支柱枠杆の外周面とを係止させるバネ部材を介装してなることを特徴とする請求項３〜５のいずれか１項に記載の農業用ハウス。
【考案の詳細な説明】
【技術分野】
【０００１】
本考案は、各種の農作物や園芸植物を栽培する際に用いられる農業用ハウスに関するものである。
【背景技術】
【０００２】
従来、この種の農業用ハウスとして、並列状に設置されるアーチ状の複数個の支柱枠杆と、該複数個の支柱枠杆間に横架される横架杆と、該複数個の支柱枠杆及び横架杆からなる骨組体に張装される被覆シートとから構造のものが知られている。
【特許文献１】特開平１０−３３７１２３号公報
【考案の開示】
【考案が解決しようとする課題】
【０００３】
しかしながら上記従来構造の場合、上記骨組体は予め定められた大きさの定構築体となっており、農業用ハウスの設置高さは一定に定まることになり、このため、栽培作物の種類や生育状況、栽培時季、農地形状などの用途や使用目的に対する融通性が低下しているという不都合を有している。
【課題を解決するための手段】
【０００４】
本考案はこれらの不都合を解決することを目的とするもので、本考案のうちで、請求項１記載の考案は、骨組体及び骨組体に張装される被覆シートからなり、上記骨組体の設置高さを調節可能な高さ調節機構を設けてなることを特徴とする農業用ハウスにある。
【０００５】
又、請求項２記載の考案は、上記骨組体は、並列状に設置されるアーチ状の複数個の支柱枠杆及び該複数個の支柱枠杆間に横架される横架杆を備えてなることを特徴とするものであり、又、請求項３記載の考案は、上記高さ調節機構は、地上に差込立設される支持杆と、該支持杆に上記支柱枠杆を高さ調節自在に連結固定可能な固定機構とからなることを特徴とするものであり、又、請求項４記載の考案は、上記支持杆の下部に接地盤を形成してなることを特徴とするものであり、又、請求項５記載の考案は、上記接地盤に土中に差込可能な差込杆が挿通される係合穴を形成してなることを特徴とするものである。
【０００６】
又、請求項６記載の考案は、上記固定機構は、上記支持杆に取付体を固定し、該取付体に上片、下片及び側片からなるコ状のガイド枠を設け、該ガイド枠の上片及び下片に上記支柱枠杆が挿通可能な挿通穴を形成し、該ガイド枠に係合部を設け、該上片と下片との間に該支柱枠体が挿通可能な係止穴をもつ係止片を設け、該係止片と該下片との間に該係止片の基端部を該係合部に当接させると共に該係止片を傾斜状に弾圧して該係止片の係止穴と支柱枠杆とを係止させるバネ部材を介装してなることを特徴とするものである。
【考案の効果】
【０００７】
本考案は上述の如く、請求項１記載の考案にあっては、高さ調節機構により骨組体の設置高さを調節することができ、例えば、生育初期においては、設置高さを低く調節し、成長に応じ、高さ調節機構により骨組体の設置高さを高く調節することができ、従って、栽培作物の種類や生育状況、栽培時季、農地形状などの用途や使用目的に対する融通性を高めることができる。
【０００８】
又、請求項２記載の考案にあっては、上記骨組体は、並列状に設置されるアーチ状の複数個の支柱枠杆及び該複数個の支柱枠杆間に横架される横架杆を備えてなるから、農業用ハウスの構築を容易に行うことができ、又、請求項３記載の考案にあっては、上記高さ調節機構は、地上に差込立設される支持杆と、支持杆に上記支柱枠杆を高さ調節自在に連結固定可能な固定機構とからなるので、上記支柱枠杆の近傍位置に支持杆を差込立設し、支持杆に支柱枠杆を固定機構により連結固定することにより骨組体の設置高さを容易に調節することができ、又、請求項４記載の考案にあっては、上記支持杆の下部に接地盤を形成しているから、支持杆の設置高さを容易に認識することができると共に接地盤を足で踏圧することにより支持杆の土中差し込みを容易に行うことができ、又、請求項５記載の考案にあっては、上記接地盤に土中に差込可能な差込杆が挿通される係合穴を形成しているから、支持杆の設置の安定性を高めることができる。
【０００９】
又、請求項６記載の考案にあっては、上記固定機構は、上記支持杆に取付体を固定し、該取付体に上片、下片及び側片からなるコ状のガイド枠を設け、該ガイド枠の上片及び下片に上記支柱枠杆が挿通可能な挿通穴を形成し、該ガイド枠に係合部を設け、該上片と下片との間に該支柱枠体が挿通可能な係止穴をもつ係止片を設け、該係止片と該下片との間に該係止片の基端部を該係合部に当接させると共に該係止片を傾斜状に弾圧して該係止片の係止穴と支柱枠杆とを係止させるバネ部材を介装してなるから、係止片の係止穴と支柱枠杆との係止作用により支柱枠杆の降下が阻止され、骨組体の高さが保持され、係止片の押下及び釈放により容易に骨組体の設置高さを調節することができる。
【考案を実施するための最良の形態】
【００１０】
図１乃至図１１は本考案の実施の形態例を示し、１は支柱枠杆であって、この場合、左右の側杆部１ａ・１ａ及び弧状部１ｂからなるアーチ状のパイプ材により形成され、支柱枠杆１の大きさは畝Ｍや作物Ｓに応じて決定され、この支柱枠杆１は並列状に間隔を置いて地面Ｇに複数個設置され、複数個の支柱枠杆１・１・１・・間に複数個の横架杆２・２・・が止め金具３により横架され、この複数個の支柱枠杆１・１・１・・及び横架杆２・２・・により図２のような骨組体Ｋが構築され、そして、図１の如く、この骨組体Ｋの上面、両側面及び前後面に透光性をもつ塩化ビニル系樹脂フィルムや遮光性フィルム等の被覆シート４を複数個の止着具５により張装し、農業用ハウスを構築することになる。
【００１１】
６は高さ調節機構であって、この場合、地上Ｇに差込立設される支持杆７と、支持杆７に上記支柱枠杆１の側杆部１ａを高さ調節自在に連結固定可能な固定機構８とからなり、かつ、この支持杆７の下部に接地盤７ａを形成し、この接地盤７ａに土中に差込可能な差込杆９が挿通される係合穴７ｂを形成している。
【００１２】
又、この場合、上記固定機構８は、上記支持杆７に取付体１０を止めピン１０ａ及び固定ボルト１０ｂにより固定し、この取付体１０に上片１１ａ、下片１１ｂ及び側片１１ｃからなるコ状のガイド枠１１を設け、このガイド枠１１の上片１１ａ及び下片１１ｂに上記支柱枠杆１の側杆部１ａが挿通可能な挿通穴１２・１２を形成し、ガイド枠１０の側片１１ｃの内面に係合部１３を設け、上片１１ａと下片１１ｂとの間に支柱枠体１の側杆部１ａが挿通可能な係止穴１４ａをもつ係止片１４を設け、係止片１４と下片１１ｂとの間に係止片１４の基端部を係合部１３に当接させると共に係止片１４を傾斜状に弾圧して係止片１４の係止穴１４ａの内面と支柱枠杆１の外周面とを係止させるバネ部材１５を介装して構成している。
【００１３】
この実施の形態例は上記構成であるから、図１、図２の如く、並列状に設置されるアーチ状の複数個の支柱枠杆１・１・・及び複数個の支柱枠杆１・１・・間に横架される横架杆２・２・・からなる骨組体Ｋに被覆シート４張装し、農業用ハウスを構築することになり、この際、高さ調節機構６により骨組体Ｋの設置高さを調節することができ、例えば、生育初期においては、図８、図９の如く、設置高さを低く調節し、成長に応じ、図１、図３の如く、高さ調節機構６により骨組体Ｋの設置高さを高く調節することができ、従って、栽培作物の種類や生育状況、栽培時季、農地形状などの用途や使用目的に対する融通性を高めることができる。
【００１４】
この場合、上記骨組体Ｋは、並列状に設置されるアーチ状の複数個の支柱枠杆１・１・・及び該複数個の支柱枠杆１・１・・間に横架される横架杆２・２・・を備えてなるから、農業用ハウスの構築を容易に行うことができ、また、この場合、上記高さ調節機構６は、地上Ｇに差込立設される支持杆７と、支持杆７に上記支柱枠杆１を高さ調節自在に連結固定可能な固定機構８とからなるので、上記支柱枠杆１の近傍位置にそれぞれ支持杆７を差込立設し、各支持杆７に支柱枠杆１を固定機構８により連結固定することにより骨組体Ｋの設置高さを容易に調節することができ、又、この場合、上記支持杆７の下部に接地盤７ａを形成しているから、支持杆７の設置高さを容易に認識することができると共に接地盤７ａを足で踏圧することにより支持杆７の土中差し込みを容易に行うことができ、又、この場合、上記接地盤７ａに土中に差込可能な差込杆９が挿通される係合穴７ｂを形成しているから、支持杆７の設置の安定性を高めることができる。
【００１５】
又、この場合、上記固定機構８は、図４、図５の如く、上記支持杆７に取付体１０を固定し、取付体１０に上片１１ａ、下片１１ｂ及び側片１１ｃからなるコ状のガイド枠１１を設け、ガイド枠１１の上片１１ａ及び下片１１ｂに上記支柱枠杆１が挿通可能な挿通穴１２・１２を形成し、ガイド枠１０に係合部１３を設け、上片１１ａと下片１１ｂとの間に支柱枠体１が挿通可能な係止穴１４ａをもつ係止片１４を設け、係止片１４と下片１１ｂとの間に係止片１４の基端部を係合部１３に当接させると共に係止片１４を傾斜状に弾圧して係止片１４の係止穴１４ａと支柱枠杆１とを係止させるバネ部材１５を介装して構成しているから、図５において、上記係止片１４の前端部をほぼ水平位置まで押下げると、支持杆７の外周面と係止片１４の係止穴１４ａの内周面との隙間により支柱枠杆１の側杆１ｂを支持杆７に対して上下調節することができ、任意高さに調節後、上記係止片１４を釈放すると、図５の如く、バネ部材１５により係止片１４の基端部は係合部１３に当接して係止片１４は傾斜状に弾圧保持され、係止片１４の係止穴１４ａの内面と支柱枠杆１の側杆１ｂの外周面との係止作用により支柱枠杆１の降下が阻止され、骨組体Ｋの高さが保持されることになり、係止片１４の押下及び釈放により容易に骨組体Ｋの設置高さを調節することができる。
【００１６】
尚、本考案は上記実施の形態例に限られるものではなく、例えば、支柱枠杆１、横架杆２、支持杆７の大きさや形態、数量、高さ調節機構６、例えば、固定機構８として、単なる締付ボルトによる連結固定構造等を用いるなど、適宜変更して設計されるものである。
【００１７】
以上、所期の目的を充分達成することができる。
【図面の簡単な説明】
【００１８】
【図１】本考案の実施の形態例の全体斜視図である。
【図２】本考案の実施の形態例の骨組体の斜視図である。
【図３】本考案の実施の形態例の全体側面図である。
【図４】本考案の実施の形態例の部分斜視図である。
【図５】本考案の実施の形態例の部分側断面図である。
【図６】本考案の実施の形態例の部分斜視図である。
【図７】本考案の実施の形態例の部分平面図である。
【図８】本考案の実施の形態例の全体斜視図である。
【図９】本考案の実施の形態例の全体側面図である。
【図１０】本考案の実施の形態例の部分平断面図である。
【図１１】本考案の実施の形態例の部分斜視図である。
【符号の説明】
【００１９】
Ｋ    骨組体
１    支柱枠杆
２    横架杆
４    被覆シート
６    高さ調節機構
７    支持杆
７ａ    接地盤
７ｂ    係合穴
８    固定機構
９    差込杆
１０    取付体
１１    ガイド枠
１２    挿通穴
１３    係合部
１４    係止片
１５    バネ部材
【図１】
0003140489.tif 000003
【図２】
0003140489.tif 000004
【図３】
0003140489.tif 000005
【図４】
0003140489.tif 000006
【図５】
0003140489.tif 000007
【図６】
0003140489.tif 000008
【図７】
0003140489.tif 000009
【図８】
0003140489.tif 000010
【図９】
0003140489.tif 000011
【図１０】
0003140489.tif 000012
【図１１】
0003140489.tif 000013